【事件の表示】
　特許第２９０９２０５号「サンスクリーン組成物」の請求項１ないし１０に係る特許に対する特許異議の申立てについて、次のとおり決定する。
【結　論】
　訂正を認める。
　特許第２９０９２０５号の請求項１ないし８に係る特許を維持する。
【理　由】
１．手続の経緯
　
　本件特許第２９０９２０５号発明は、平成２年２月２３日（優先権主張１９８９年２月２８日、イギリス国）を国際出願日として特許出願され、平成１１年４月２日にその特許権の設定の登録がなされ、その後、大原一及び小林哲男より特許異議の申立てがなされ、平成１２年５月２５日付けで取消理由通知がなされ、その指定期間内である平成１３年１月４日に訂正請求がなされたものである。
　
　
２．訂正の適否についての判断
　
（１）訂正の内容
　
　特許権者の求める訂正は、特許第２９０９２０５号の明細書中の特許請求の範囲において
［Ａ］「　【請求項１】（イ）100nm未満の平均一次粒径を有する二酸化チタン0.5から30重量％　および　（ロ）リン酸陰イオン0.025から30重量％　を含有してなるサンスクリーン組成物。
【請求項２】リン酸陰イオンの量は二酸化チタンの0.5から300重量％である、請求項１記載のサンスクリーン組成物。
【請求項３】リン酸陰イオンはリン酸塩の形で供給する、請求項１または請求項２記載のサンスクリーン組成物。
【請求項４】リン酸塩は二酸化チタンの５から150重量％を構成する、請求項３記載のサンスクリーン組成物。
【請求項５】リン酸塩はアルカリ金属リン酸塩である、請求項３または請求項４記載のサンスクリーン組成物。
【請求項６】0.01から５重量％のパラベンエステルを更に含む、請求項１から請求項５のいずれか１項に記載のサンスクリーン組成物。
【請求項７】0.1から10重量％のパラ−アミノ安息香酸、そのエステルまたはその誘導体を更に含む、請求項１から請求項５のいずれか１項に記載のサンスクリーン組成物。
【請求項８】請求項１から請求項７までのいずれか１項に記載のサンスクリーン組成物において、　（イ）100nm未満の平均一次粒径を有する二酸化チタン0.5から30重量％、　（ロ）リン酸塩0.025から30重量％、　（ハ）油相５から40重量％、　（ニ）乳化剤１から20重量％、および　（ホ）水相なるべくは少なくとも40重量％　を含有してなる水中油型乳濁系からなる上記組成物。
【請求項９】請求項１から請求項７までのいずれか１項に記載のサンスクリーン組成物において、　（イ）100nm未満の平均一次粒径を有する二酸化チタン0.5から30重量％、　（ロ）リン酸塩0.025から30重量％、　（ハ）油相５から50重量％、　（ニ）乳化剤１から15重量％、および　（ホ）水相なるべくは少なくとも40重量％　を含有してなる油中水型乳濁系からなる上記組成物。
【請求項１０】二酸化チタンを含有するサンスクリーン組成物に、リン酸陰イオンを加えることによる、該サンスクリーン組成物の変色を防止または軽減する方法。　」
とあるのを
［Ｂ］「　(1)　（イ）１００nm未満の平均一次粒径を有する二酸化チタン0.5から30重量％および　（ロ）リン酸陰イオン０．０２５から３０重量％　を含有してなるサンスクリーン組成物であって、二酸化チタンの変色を防止または減少させるため、リン酸陰イオンをリン酸塩の形で供給し、当該リン酸塩が二酸化チタンの５から１５０重量％を構成する、サンスクリーン組成物。
(2)　リン酸陰イオンの量は二酸化チタンの０．５から３００重量％である、請求項１記載のサンスクリーン組成物。
(3)　リン酸塩はアルカリ金属リン酸塩である、請求項１記載のサンスクリーン組成物。
(4)　０．０１から５重量％のパラベンエステルを更に含む、請求項１から請求項３のいずれか１項に記載のサンスクリーン組成物。
(5)　０．１から１０重量％のパラ−アミノ安息香酸、そのエステルまたはその誘導体を更に含む、請求項１から請求項３のいずれか１項に記載のサンスクリーン組成物。
(6)　請求項１から請求項５までのいずれか１項に記載のサンスクリーン組成物において、　（イ）１００nm未満の平均一次粒径を有する二酸化チタン０．５から３０重量％、　（ロ）リン酸塩０．０２５から３０重量％、　（ハ）油相５から４０重量％、　（ニ）乳化剤１から２０重量％、および　（ホ）水相なるべくは少なくとも４０重量％　を含有してなる水中油型乳濁系からなる上記組成物。
(7)　請求項１から請求項５までのいずれか１項に記載のサンスクリーン組成物において、　（イ）１００nm未満の平均一次粒径を有する二酸化チタン０．５から３０重量％、　（ロ）リン酸塩０．０２５から３０重量％、　（ハ）油相５から５０重量％、　（ニ）乳化剤１から１５重量％、および　（ホ）水相なるべくは少なくとも４０重量％　を含有してなる油中水型乳濁系からなる上記組成物。
(8)　二酸化チタンを含有するサンスクリーン組成物に、リン酸陰イオンを加えることによる、該サンスクリーン組成物の変色を防止または軽減する方法であって、二酸化チタンの変色を防止または減少させるため、リン酸陰イオンをリン酸塩の形で加え、当該リン酸塩が二酸化チタンの５から１５０重量％を構成する、該サンスクリーン組成物の変色を防止または軽減する方法。　」
と訂正するものである。
　
（２）訂正の目的の適否、新規事項の有無及び拡張・変更の存否
　
　上記訂正の内容は、以下の訂正事項よりなるものである。
・訂正事項ａ
　請求項１における「サンスクリーン組成物。」なる記載を、「サンスクリーン組成物であって、二酸化チタンの変色を防止または減少させるため、リン酸陰イオンをリン酸塩の形で供給し、当該リン酸塩が二酸化チタンの５から１５０重量％を構成する、サンスクリーン組成物。」とする。
・訂正事項ｂ
　特許請求の範囲の請求項３及び４を削除する。
・訂正事項ｃ
　請求項５を請求項３に繰り上げて請求項１の従属項とする。
・訂正事項ｄ
　請求項６を請求項４に繰り上げて請求項３の従属項とする。
・訂正事項ｅ
　請求項７を請求項５に繰り上げて請求項５の従属項とする。
・訂正事項ｆ
　請求項８を請求項６に繰り上げて請求項１乃至５の従属項とする。
・訂正事項ｇ
　請求項９を請求項７に繰り上げて請求項１乃至５の従属項とする。
・訂正事項ｈ
　請求項１０を請求項８に繰り上げ、かつ「該サンスクリーン組成物の変色を防止または軽減する方法。」なる記載を「該サンスクリーン組成物の変色を防止または軽減する方法であって、二酸化チタンの変色を防止または減少させるため、リン酸陰イオンをリン酸塩の形で加え、当該リン酸塩が二酸化チタンの５から１５０重量％を構成する、該サンスクリーン組成物の変色を防止または軽減する方法。」とする。
　
　ここで、訂正事項ａは、サンスクリーン組成物に配合するリン酸陰イオンの供給源をリン酸塩に限定し、かつ当該リン酸塩の二酸化チタンに対する配合割合を特定の範囲内に限定するものであるから、サンスクリーン組成物の組成を限定するものであり、特許請求の範囲の減縮に該当する。訂正事項ｈにおけるリン酸陰イオンに係る限定も同様であり、特許請求の範囲の減縮に該当する。そしてこれらの限定は、訂正前の請求項３及び４や、明細書第３頁第２２行〜第４頁第２行（本件特許公報第４欄第３３行〜第３８行）の記載に基づくものであり、いずれも当初明細書に記載した事項の範囲内のものである。
　また、訂正事項ｂ〜ｈは、いずれも請求項３及び４の削除及び当該削除に応じて請求項５以降の請求項を繰り上げるものであるから、明りょうでない記載の釈明に該当し、また当初明細書に記載した事項の範囲内のものである。
　そして、いずれの訂正事項も、実質上特許請求の範囲を拡張し、又は変更するものでもない。
　
（３）独立特許要件の判断
　
(3-1)訂正明細書の請求項１〜８に係る発明
　訂正明細書の請求項１〜８に係る発明は、その特許請求の範囲において、上記２．（１）［Ｂ］に記載されているとおりのものである。
　
(3-2)　本件発明は、後記３．で述べるように、特許異議申立人の提出した証拠方法及びその主張する理由によって特許を受けることができないものであるとすることはできない。
　そして、他に特許出願の際独立して特許を受けることができない理由を発見しないので、本件発明は、特許出願の際独立して特許を受けることができるものである。
　
（４）むすび
　
　以上のとおりであるから、上記訂正は、特許法第１２０条の４第２項及び同条第３項で準用する同法第２項から第４項の規定に適合するので、当該訂正を認める。
　
　
３．特許異議の申立てについての判断
　
（１）本件特許の請求項１〜８に係る発明は、前記２．（３）(3-1)で記載したとおりである。
　
（２）特許異議申立ての理由の概要
　
(2-1)　特許異議申立人大原一は、本件の請求項１〜３，５〜８に係る各発明は、申立人が提出した甲第１号証に記載された発明であるから特許法第２９条第１項第３号に該当し特許を受けることができないものであり、また同甲第１号証〜甲第３号証に記載された発明に基づいて当業者が容易に発明をすることができたものであるから特許法第２９条第２項の規定により特許を受けることができないものであり、本件の請求項１０に係る発明は、同甲第６号証に記載された発明であるから特許法第２９条第１項第３号に該当し特許を受けることができないものであり、また同甲第６号証及び甲第７号証に記載された発明に基づいて当業者が容易に発明をすることができたものであるから特許法第２９条第２項の規定により特許を受けることができないものである、よって本件の請求項１〜３，５〜８及び１０に係る各発明は、特許法第２９条の規定に違反して特許されたものである、という旨主張している。
(2-2)　また、特許異議申立人小林哲男は、本件の請求項１〜１０に係る各発明は、申立人が提出した甲第１号証に記載された発明であるから特許法第２９条第１項第３号に該当し特許を受けることができないものであり、また同甲第１号証〜甲第４号証に記載された発明に基づいて当業者が容易に発明をすることができたものであるから特許法第２９条第２項の規定により特許を受けることができないものである、よって本件の請求項１〜１０に係る各発明は、特許法第２９条の規定に違反して特許されたものである、という旨主張している。
　
　
（３）当審の判断
　
(3-1)大原一の異議申立てについて
　
(a)　各甲号証に記載された発明
(a-1)　甲第１号証（特開昭６０−８４２０８号公報）には、アルキル基の炭素数が４〜１２のアミノ酸アルキルエステルと蛋白質との縮合物および／またはその塩を含むことを特徴とする化粧料について記載されており、該化粧料の例として、以下の（Ａ）〜（Ｃ）の組成のサンケアクリームが記載されており、「（Ｃ）相を（Ａ）相にホモミキサー分散後、実施例１の製造方法に準じて、（Ａ）相、（Ｂ）相よりサンケアクリームを得た。」ことも記載されている（第５頁左上欄第９行〜右上欄第１１行の実施例３）。
「 実施例３　サンケアクリーム　　　　　　　　　　（重量％）
　（Ａ）精製水　　　　　　　　　　　　　　　　　５６．６５　
　　　　Ｌ−メチオニンオクチルエステル
　　　　リゾチーム縮合物カリウム塩　　　　　　　　０．１　　
　　　　グリセリン　　　　　　　　　　　　　　　　５．０　
　　　　ＫＯＨ　　　　　　　　　　　　　　　　　　０．５　
　　　　ヘキサメタリン酸Ｎａ　　　　　　　　　　　０．０５　
　（Ｂ）ステアリン酸　　　　　　　　　　　　　　　１．０　
　　　　パルミチン酸　　　　　　　　　　　　　　　１．０　
　　　　ステアリルアルコール　　　　　　　　　　　３．０　
　　　　流動パラフィン　　　　　　　　　　　　　２０．０　
　　　　イソプロピルミリステート　　　　　　　　　５．０　
　　　　ジグリセリルジイソステアレート　　　　　　２．０　
　　　　ＰＡＢＡ　　　　　　　　　　　　　　　　　２．０　
　　　　防腐剤　　　　　　　　　　　　　　　　　　０．４　
　　　　香料　　　　　　　　　　　　　　　　　　　０．３　
　（Ｃ）調合粉末　　　　　　　　　　　　　　　　　１．０　
　　　　二酸化チタン　　　　　　　　　　　　　　　２．０　　」　
　また、同甲第１号証中には、化粧料中に配合する防腐剤として採用し得るものとして、パラオキシ安息香酸アルキルエステル、安息香酸ナトリウム、ソルビン酸カリウム等の化粧品に汎用される防腐剤が例示されることも記載されている（第３頁左下欄第１４〜１７行）。
　さらに、上記（Ｂ）相由来のステアリン酸、パルミチン酸はいずれも、（Ａ）相と混合された後、少なくとも一部は（Ａ）相のＫＯＨと反応して脂肪酸セッケンであるカリウム塩を形成するものと推認されるところ、当該脂肪酸セッケンはアニオン系乳化剤としての作用を有するものであるし、また、（Ａ）相の精製水は水相を形成し、（Ｂ）相のステアリルアルコール、流動パラフィン、イソプロピルミリステートはいずれも油相を形成するものと認められる。
(a-2)　甲第２号証（フレグランス　ジャーナル，(1985)No.73　p.43-45）には、二酸化チタンの粒子径を0.04〜0.01μとした超微粒子二酸化チタンが記載されており、当該超微粒子二酸化チタンは通常の顔料チタンより紫外線の遮断特性が増大することも記載されている。
(a-3)　甲第３号証（特公昭４７−４２５０２号公報）には、最大粒径0.1μ以下で平均粒径３０乃至４０ｍμの酸化チタンを１乃至１０％配合することにより紫外線遮断効果が著しく増大した日焼け止め化粧料について記載されている。
(a-4)　甲第４号証（久保亮五他編「理化学辞典」第４版　岩波書店　第1279頁）には、メタリン酸塩が縮合酸塩の一種で組成式ＭＩＰＯ３あるいはその整数倍で示されるものをいう旨記載されている。
(a-5)　甲第５号証（有限会社フレグランスジャーナル社編集発行「香粧品原料便覧１９９１年版」（平成3-12-25）第229頁）には、パラアミノ安息香酸の別名がＰＡＢＡであることが記載されている。
(a-6)　甲第６号証（特開昭６１−２１５３１４号公報）には、４−（１，１−ジメチルエチル）−４’−メトキシジベンゾイルメタン及び無機粉末に対し、エデト酸、メタリン酸、ポリリン酸および／またはその塩を配合したことを特徴とする、紫外線吸収効果にすぐれ、変色を起こすことなく長期間安定性に優れ品質劣化のない皮膚外用剤について記載されており（例えば特許請求の範囲、第１頁右下欄第第１４行〜第２頁左上欄第８行）、無機粉末として二酸化チタンが採用できることも記載されており（第２頁右上欄第６〜８行、同頁右下欄実施例１、第３頁右上欄対照例１）、メタリン酸塩としてヘキサメタリン酸ソーダを採用することも記載されており（第２頁右上欄第１５行、第４頁実施例２、第５頁左上欄実施例５）、エデト酸、メタリン酸、ポリリン酸および／またはその塩の配合量は４−（１，１−ジメチルエチル）−４’−メトキシジベンゾイルメタンの量に対して１／１０００以上であることも記載されている（第２頁右上欄第１６〜１８行）。
(a-7)　甲第７号証（特開昭６２−２６０７１７号公報）には、酸化チタン基材の表面にシリカ系皮膜を担持させてなる光半導体及びその製法について記載されており、前記光半導体が光殺菌剤として化粧品や医薬品等に適用することができることも記載されており（第２頁左上欄第１３〜１４行）、「二酸化チタンはそれ自体が光半導体であり、・・・。このエネルギーに富んだ電子および正孔によって生じる電子移動反応により、殺菌効果を示したり、様々な化学反応を起こさせることができる。」とも記載されている（第２頁右上欄第２〜８行）。
　
(b)　本件発明と各甲号証記載の発明との対比・判断
　
(b-1)　本件の請求項１に係る発明と甲第１号証刊行物に記載された発明を対比するに、両者は、二酸化チタン０．５から３０重量％およびリン酸陰イオン０．０２５から３０重量％を含有してなるサンスクリーン組成物であって、リン酸陰イオンをリン酸塩の形で供給してなるものである点で共通する一方、少なくとも以下の(ア)、(イ)の点において一応相違している。
(ア)　本件請求項１に係る発明においては、二酸化チタンが１００ｎｍ未満の平均一次粒径を有するものであるのに対し、甲第１号証記載の発明に係る二酸化チタンにおいては、平均一次粒径について明記されていない。
(イ)　本件請求項１に係る発明においては、リン酸塩が二酸化チタンの５から１５０重量％を構成するものであるのに対し、甲第１号証記載の発明においては、リン酸塩（全組成の０．０５重量％）は二酸化チタン（全組成の２．０重量％）の２．５重量％となっている。
　そして、甲第２号証又は甲第３号証の記載に基づき、仮に甲第１号証で配合されている二酸化チタンが甲第２号証又は甲第３号証記載の微粒子二酸化チタン（いずれも平均一次粒径が１００ｎｍ未満）に相当するものであって、上記(ア)の相違は認められないと仮定しても、少なくとも上記(イ)の点において、両者は一致していると認めることはできない。
　また、甲第１号証記載の発明は、皮膚または毛髪をしっとりと水々しく且つべとつかずに仕上げ、更に皮膚または毛髪に残留して適度な残留感を与える化粧料を得ることを目的とするものであり、二酸化チタン粒子を含むサンスクリーン組成物の変色を防止または減少させるため、リン酸塩を二酸化チタンの５から１５０重量％の範囲内で含有せしめるという点については、同甲第１号証中に記載も示唆もされていない。
(b-2)　さらに、甲第２号証〜甲第５号証のいずれの文献にも、少なくとも、二酸化チタン粒子を含むサンスクリーン組成物の変色を防止または減少させるため、リン酸塩を二酸化チタンの５から１５０重量％の範囲内で含有せしめるという点について、記載も示唆もされていない。
(b-3)　そして、本件請求項１に係る発明は、上記(b-1)（イ）で述べた点をも具備することにより、二酸化チタンを含有するサンスクリーン組成物の変色の防止または減少について、本件明細書記載の効果を奏するものである。
(b-4)　よって、本件請求項１に係る発明は、甲第１号証〜甲第５号証のいずれかに記載された発明であるということはできないし、甲第１号証〜甲第５号証に記載された発明に基づいて当業者が容易に発明をすることができたものとすることはできない。
(b-5)　また、請求項２〜７に係る各発明は、請求項１に係る発明を技術的に限定したものであるから、上に述べた理由から明らかなように、甲第１号証〜甲第５号証のいずれかに記載された発明であるということはできないし、甲第１号証〜甲第５号証に記載された発明に基づいて当業者が容易に発明をすることができたものであるともいえない。
(b-6)　本件請求項８に係る発明と甲第６号証刊行物に記載された発明を対比するに、両者は、二酸化チタンにリン酸陰イオンをリン酸塩の形で加えたサンスクリーン組成物が記載されている点で共通するが、前者では、当該リン酸塩を二酸化チタンの５から１５０重量％とすることにより該サンスクリーン組成物の変色を防止または軽減する方法について記載されているのに対し、後者ではそのような方法については記載されていないという点で少なくとも相違している。
　そして、甲第６号証記載の発明は、皮膚外用剤中に配合する紫外線吸収物質である４−（１，１−ジメチルエチル）−４’−メトキシジベンゾイルメタンの変色、品質劣化をエデト酸、メタリン酸、ポリリン酸および／またはその塩を配合することにより抑制することを目的とするものであるが、特に無機粉末として二酸化チタンを含む組成物の変色、品質劣化の防止を課題とするものではないし、具体的に二酸化チタン含有組成物にリン酸（又はその塩）を配合したものが甲第６号証中に記載されているわけでもない。さらに、リン酸（又はその塩）を二酸化チタンの５から１５０重量％の範囲で加えること、及びリン酸（又はその塩）を加えることにより二酸化チタン含有サンスクリーン組成物の変色が防止または軽減されることについては、いずれも甲第６号証中に記載も示唆もされていない。
(b-7)　また、甲第７号証中にも、少なくとも、リン酸塩を二酸化チタンの５から１５０重量％の範囲で加えることにより二酸化チタンを含有するサンスクリーン組成物の変色を防止または軽減する方法については、記載も示唆もされていない。
(b-8)　そして、本件請求項１に係る発明は、上記(b-6)(b-7)記載の方法を採用することにより、二酸化チタンを含有するサンスクリーン組成物の変色の防止または減少について、本件明細書記載の効果を奏するものである。
(b-9)　よって、本件請求項８に係る発明は、甲第６号証、甲第７号証のいずれかに記載された発明であるということはできないし、甲第６号証、甲第７号証に記載された発明に基づいて当業者が容易に発明をすることができたものとすることもできない。
　
(3-2)小林哲男の異議申立てについて
　
(a)　各甲号証に記載された発明
(a-1)　甲１号証（特開昭６３−２７５５０７号公報）には、水溶性キチン誘導体の一種または二種以上と水膨潤性粘土鉱物の一種または二種以上とを配合したことを特徴とする皮膚および毛髪用組成物について記載されており、当該組成物の実施例及び比較例として、微粒子酸化チタン２重量％及びヘキサメタリン酸ソーダ０．０５重量％が併せて配合されてなる以下の組成のサンスクリーンローションが記載されている（第５頁右下欄第５行〜第６頁第６行の実施例５、比較例７）。
「＜実施例５＞サンスクリーンローション　
　　キトサン　　　　　　　　　　　　　　　０．００１ｗｔ％　
　　酢酸　　　　　　　　　　　　　　　　　０．００１　
　　合成ヘクトライト                                  
　　　（商品名　ラボナイトＸＬＧ）　　　　　　　　１　
　　微粒子酸化チタン　　　　　　　　　　　　　　　２　
　　ＡＳＬ−２４Ｓ　　　　　　　　　　　　　　０．５　
　　ヘキサメタリン酸ソーダ　　　　　　　　　０．０５　
　　グリセリン　　　　　　　　　　　　　　　　　　３　
　　防腐剤　　　　　　　　　　　　　　　　　　　適量　
　　精製水　　　　　　　　　　　　　　全体を１００とする量　
　＜比較例７＞　
　　カルボキシビニルポリマー　　　　　　　　　０．１　
　　トリエタノールアミン　　　　　　　　　　０．０５　
　　微粒子酸化チタン　　　　　　　　　　　　　　　２　
　　ＡＳＬ−２４Ｓ　　　　　　　　　　　　　　０．５　
　　ヘキサメタリン酸ソーダ　　　　　　　　　０．０５　
　　グリセリン　　　　　　　　　　　　　　　　　　３　
　　防腐剤　　　　　　　　　　　　　　　　　　　適量　
　　精製水　　　　　　　　　　　　　　全体を１００とする量　」　
　
(a-2)　甲第２号証（パンフレット「TEIKAPEARL SERIPEARL」帝国化工（株）　第１０頁）の「その他開発製品」の項には、１０〜５０ｎｍの粒子径を有し、紫外部での光遮へい性が大きく、化粧品に適用し得る「微粒子酸化チタン」について記載されている。
(a-3)　甲第３号証（社団法人日本化学会編「化学便覧　応用化学編」（昭和61-10-15）　丸善株式会社　第２６８頁）には、ヘキサメタリン酸ナトリウムについて、「約９０％が高分子のポリリン酸塩で、残りが種々の環状メタリン酸塩の混合物である。」「水溶液中では徐々に加水分解してオルトリン酸になる。」と記載されている。
(a-4)　甲第４号証（日本公定書協会編「化粧品原料基準　第二版注解」(1984)　薬事日報社　第1130-1133頁）には、メタリン酸ナトリウムについて記載されており、メタリン酸ナトリウムおよびポリリン酸ナトリウムは分散作用があることも記載されている（第1133頁第１４〜１５行）。
　
(b)　本件発明と各甲号証記載の発明との対比・判断
(b-1)　本件の請求項１又は請求項８に係る各発明と、甲第１号証に係る発明を対比するに、両者は、二酸化チタン０．５から３０重量％およびリン酸陰イオン０．０２５から３０重量％を含有してなるサンスクリーン組成物であって、リン酸陰イオンをリン酸塩の形で供給してなるものである点で共通する一方、少なくとも以下の(ア)、(イ)の点において一応相違している。
(ア)　本件請求項１（又は請求項８）に係る発明においては、二酸化チタンが１００ｎｍ未満の平均一次粒径を有するものであるのに対し、甲第１号証記載の発明に係る二酸化チタンにおいては、平均一次粒径について明記されていない。
(イ)　本件請求項１（又は請求項８）に係る発明においては、リン酸塩が二酸化チタンの５から１５０重量％を構成するものであるのに対し、甲第１号証記載の発明においては、リン酸塩（全組成の０．０５重量％）は二酸化チタン（全組成の２重量％）の２．５重量％となっている。
　そして、甲第２号証の記載に基づき、仮に甲第１号証で配合されている二酸化チタンが甲第２号証記載の「微粒子酸化チタン」（平均一次粒径が１００ｎｍ未満）に相当するものであって、上記(ア)の相違は認められないと仮定しても、少なくとも上記(イ)の点において、両者は一致していると認めることはできない。
　また、甲第１号証記載の発明は、ゲル化能、使用感、安定性に優れた皮膚および毛髪用組成物を得ることを目的とするものであり、二酸化チタン粒子を含むサンスクリーン組成物の変色を防止または減少させるため、リン酸塩を二酸化チタンの５から１５０重量％の範囲内で含有せしめる点については、同甲第１号証中に記載も示唆もされていない。
(b-2)　この点に関し、申立人は異議申立書において、甲第４号証の記載を引用しつつ、微粒子酸化チタンを含むサンスクリーンローションにポリリン酸塩を添加することは常套手段であったことを主張している（第４頁末行〜第５頁第５行）。しかしながら、甲第４号証においてメタリン酸ナトリウムおよびポリリン酸ナトリウムが分散作用があることが記載されていることを以て、二酸化チタン粒子を含むサンスクリーン組成物にポリリン酸を添加することが、当業者にとり直ちに容易に想到し得たことであったとすることはできないし、変色を防止または減少させるため、二酸化チタン粒子を含むサンスクリーン組成物において二酸化チタン粒子に対しリン酸塩を特定の割合で配合する点について、甲第１号証中に記載も示唆もされていないことは、既に上で述べたとおりであるから、申立人の上記主張は採用できない。
(b-3)　また、甲第２号証〜甲第４号証のいずれの文献にも、少なくとも、二酸化チタン粒子を含むサンスクリーン組成物変色を防止または減少させるため、リン酸塩を二酸化チタンの５から１５０重量％の範囲内で含有せしめる点について、記載も示唆もされていない。
(b-4)　そして、本件請求項１又は請求項８に係る各発明は、上記(b-1)〜(b-3)で述べた点（即ち上記(b-1)（イ）で述べた点）を具備することにより、二酸化チタンを含有するサンスクリーン組成物の変色の防止または減少について、本件明細書記載の効果を奏するものである。
(b-5)　よって、本件請求項１及び請求項８に係る各発明は、甲第１号証〜甲第４号証のいずれかに記載された発明であるということはできないし、甲第１号証〜甲第４号証に記載された発明に基づいて当業者が容易に発明をすることができたものとすることもできない。
(b-6)　また、請求項２〜７に係る各発明は、請求項１に係る発明を技術的に限定したものであるから、上に述べた理由から明らかなように、甲第１号証〜甲第４号証のいずれかに記載された発明であるということはできないし、甲第１号証〜甲第４号証に記載された発明に基づいて当業者が容易に発明をすることができたものであるともいえない。
　
（４）むすび
　
　以上のとおりであるから、特許異議申立ての理由及び証拠方法によっては、本件請求項１〜８に係る発明の特許を取り消すことはできない。
　また、他に本件請求項１〜８に係る発明の特許を取り消すべき理由を発見しない。
　よって、結論のとおり決定する。
【異議決定日】
平成１３年２月２０日（２００１．２．２０）
【訂正の要旨】
　特許請求の範囲の減縮又は明りょうでない記載の釈明を目的として、特許第２９０９２０５号の明細書中の特許請求の範囲において、
「　【請求項１】（イ）１００ｎｍ未満の平均一次粒径を有する二酸化チタン０．５から３０重量％　および　（ロ）リン酸陰イオン０．０２５から３０重量％　を含有してなるサンスクリーン組成物。
　【請求項２】リン酸陰イオンの量は二酸化チタンの０．５から３００重量％である、請求項１記載のサンスクリーン組成物。
　【請求項３】リン酸陰イオンはリン酸塩の形で供給する、請求項１または請求項２記載のサンスクリーン組成物。
　【請求項４】リン酸塩は二酸化チタンの５から１５０重量％を構成する、請求項３記載のサンスクリーン組成物。
　【請求項５】リン酸塩はアルカリ金属リン酸塩である、請求項３または請求項４記載のサンスクリーン組成物。
　【請求項６】０．０１から５重量％のパラベンエステルを更に含む、請求項１から請求項５のいずれか１項に記載のサンスクリーン組成物。
　【請求項７】０．１から１０重量％のパラ−アミノ安息香酸、そのエステルまたはその誘導体を更に含む、請求項１から請求項５のいずれか１項に記載のサンスクリーン組成物。
　【請求項８】請求項１から請求項７までのいずれか１項に記載のサンスクリーン組成物において、　（イ）１００ｎｍ未満の平均一次粒径を有する二酸化チタン０．５から３０重量％、　（ロ）リン酸塩０．０２５から３０重量％、　（ハ）油相５から４０重量％、　（ニ）乳化剤１から２０重量％、および　（ホ）水相なるべくは少なくとも４０重量％　を含有してなる水中油型乳濁系からなる上記組成物。
　【請求項９】請求項１から請求項７までのいずれか１項に記載のサンスクリーン組成物において、　（イ）１００ｎｍ未満の平均一次粒径を有する二酸化チタン０．５から３０重量％、　（ロ）リン酸塩０．０２５から３０重量％、　（ハ）油相５から５０重量％、　（ニ）乳化剤１から１５重量％、および　（ホ）水相なるべくは少なくとも４０重量％　を含有してなる油中水型乳濁系からなる上記組成物。
　【請求項１０】二酸化チタンを含有するサンスクリーン組成物に、リン酸陰イオンを加えることによる、該サンスクリーン組成物の変色を防止または軽減する方法。　」
とあるのを
「　（１）　（イ）１００ｎｍ未満の平均一次粒径を有する二酸化チタン０．５から３０重量％および　（ロ）リン酸陰イオン０．０２５から３０重量％　を含有してなるサンスクリーン組成物であって、二酸化チタンの変色を防止または減少させるため、リン酸陰イオンをリン酸塩の形で供給し、当該リン酸塩が二酸化チタンの５から１５０重量％を構成する、サンスクリーン組成物。
（２）　リン酸陰イオンの量は二酸化チタンの０．５から３００重量％である、請求項１記載のサンスクリーン組成物。
（３）　リン酸塩はアルカリ金属リン酸塩である、請求項１記載のサンスクリーン組成物。
（４）　０．０１から５重量％のパラベンエステルを更に含む、請求項１から請求項３のいずれか１項に記載のサンスクリーン組成物。
（５）　０．１から１０重量％のパラ−アミノ安息香酸、そのエステルまたはその誘導体を更に含む、請求項１から請求項３のいずれか１項に記載のサンスクリーン組成物。
（６）　請求項１から請求項５までのいずれか１項に記載のサンスクリーン組成物において、　（イ）１００ｎｍ未満の平均一次粒径を有する二酸化チタン０．５から３０重量％、　（ロ）リン酸塩０．０２５から３０重量％、　（ハ）油相５から４０重量％、　（ニ）乳化剤１から２０重量％、および　（ホ）水相なるべくは少なくとも４０重量％　を含有してなる水中油型乳濁系からなる上記組成物。
（７）　請求項１から請求項５までのいずれか１項に記載のサンスクリーン組成物において、　（イ）１００ｎｍ未満の平均一次粒径を有する二酸化チタン０．５から３０重量％、　（ロ）リン酸塩０．０２５から３０重量％、　（ハ）油相５から５０重量％、　（ニ）乳化剤１から１５重量％、および　（ホ）水相なるべくは少なくとも４０重量％　を含有してなる油中水型乳濁系からなる上記組成物。
（８）　二酸化チタンを含有するサンスクリーン組成物に、リン酸陰イオンを加えることによる、該サンスクリーン組成物の変色を防止または軽減する方法であって、二酸化チタンの変色を防止または減少させるため、リン酸陰イオンをリン酸塩の形で加え、当該リン酸塩が二酸化チタンの５から１５０重量％を構成する、該サンスクリーン組成物の変色を防止または軽減する方法。　」
と訂正するものである。
（５４）【発明の名称】
サンスクリーン組成物
（５７）【特許請求の範囲】
　（１）　（イ）１００ｎｍ未満の平均一次粒径を有する二酸化チタン０．５から３０重量％
　および
　　（ロ）　リン酸陰イオン０．０２５から３０重量％
　を含有してなるサンスクリーン組成物であって、
　二酸化チタンの変色を防止または減少させるため、リン酸陰イオンをリン酸塩の形で供給し、当該リン酸塩が二酸化チタンの５から１５０重量％を構成する、サンスクリーン組成物。
　（２）　リン酸陰イオンの量は二酸化チタンの０．５から３００重量％である、請求項１記載のサンスクリーン組成物。
　（３）　リン酸塩はアルカリ金属リン酸塩である、請求項１記載のサンスクリーン組成物。
　（４）　０．０１から５重量％のパラベンスエステルを更に含む、請求項１から請求項３のいずれか１項に記載のサンスクリーン組成物。
　（５）　０．１から１０重量％のパラ−アミノ安息香酸、そのエステルまたはその誘導体を更に含む、請求項１から請求項３のいずれか１項に記載のサンスクリーン組成物。
　（６）　請求項１から請求項５までのいずれか１項に記載のサンスクリーン組成物において、
　　（イ）　１００ｎｍ未満の平均一次粒径を有する二酸化チタン０．５から３０重量％、
　　（ロ）　リン酸塩０．０２５から３０重量％、
　　（ハ）　油相５から４０重量％、
　　（ニ）　乳化剤１から２０重量％、および
　　（ホ）　水相なるべくは少なくとも４０重量％
　を含有してなる水中油型乳濁系からなる上記組成物。
　（７）　請求項１から請求項５までのいずれか１項に記載のサンスクリーン組成物において、
　　（イ）　１００ｎｍ未満の平均一次粒径を有する二酸化チタン０．５から３０重量％、
　　（ロ）　リン酸塩０．０２５から３０重量％、
　　（ハ）　油相５から５０重量％、
　　（ニ）　乳化剤１から１５重量％、および
　　（ホ）　水相なるべくは少なくとも４０重量％
　を含有してなる油中水型乳濁系からなる上記組成物。
　（８）　二酸化チタンを含有するサンスクリーン組成物に、リン酸陰イオンを加えることによる、該サンスクリーン組成物の変色を防止または軽減する方法であって、二酸化チタンの変色を防止または減少させるため、リン酸陰イオンをリン酸塩の形で加え、当該リン酸塩が二酸化チタンの５から１５０重量％を構成する、該サンスクリーン組成物の変色を防止または軽減する方法。
【発明の詳細な説明】
　本発明はサンスクリーン組成物に関する。本明細書中に使用されている「サンスクリーン」という用語は、モイスチャライザー、デークリーム、日焼けローションおよび日光遮断剤のような、太陽光線あるいは他の紫外（ＵＶ）線源から保護するために局所適用を意図した日焼け止め用組成物を包含する。更に本発明はサンスクリーン組成物に使用するための被覆二酸化チタン粒子に関する。
　通常のサンスクリーン組成物は有機サンスクリーン剤を含有する水中油型または油中水型乳濁系のいずれかとして製造され、上記いずれの型の乳濁系においても等しく成功を収めるように処方できる。更に最近になって日焼け止め剤として二酸化チタンを含むサンスクリーン組成物が提唱された。
　本出願者等は、二酸化チタン粒子を含むサンスクリーン組成物が貯蔵中に変色する傾向があることに注目した。一つの型の変色は、嫌気的な貯蔵中に起こるもので、白色酸化チタン（ＩＶ）から不安定な紫−青色チタン（ＩＩＩ）化合物への光触媒還元に原因するようである。この変色は、例えば二酸化チタンサンスクリーン組成物で満した容器の内面のところで、主として表面効果として起こる。外部の光、とりわけ紫外線は容器材料を透過し、次に内部組成物の表面で酸化チタン（ＩＶ）の還元を触媒するのかもしれない。この効果はこのような組成物の外部表面に限られていて、大部分の組成物のサンスクリーン特性を有意に減退させることはないが、表面の変色が目に見える場合には消費者にとって美観の見地から受け入れられない。
　もう一つの型の変色は、防腐剤としての使用が知られているパラ−ヒドロキシベンゾエートエステル、あるいはそれ自身日焼け止め剤としての使用が知られているパラ−アミノ安息香酸も添加されている二酸化チタン含有組成物で認められている。これら化合物は二酸化チタン粒子と関連があるようで、生じた複合体はサンスクリーン組成物に受け入れることのできない黄変を起こす。
　本発明者等は、二酸化チタンを含むサンスクリーン組成物の変色を、リン酸陰イオンの添加により実質的に減少させるか防止できることを、ここに発見した。
　本発明は
　（イ）　１００ｎｍ未満の平均一次粒径をもつ二酸化チタン０．５から３０重量％
　および
　（ロ）　リン酸陰イオン０．０２５から３０重量％を含有してなるサンスクリーン組成物を提供するものである。
　リン酸陰イオンは無機リンオキソ酸、オルトホスフェート、ピロホスフェート、または縮合ホスフェート、例えばポリホスフェートおよびメタホスフェートの形で供給できる。リン酸陰イオンはリン酸塩の形で供給するのがよい。適当なリン酸塩には化粧品用として容認できるアルカリ金属リン酸塩、例えばリン酸一ナトリウム、リン酸二ナトリウム、リン酸三ナトリウム、リン酸一カリウム、リン酸二カリウムおよびリン酸三カリウム、ポリリン酸塩、例えばポリリン酸三ナトリウム、ピロリン酸塩、例えばピロリン酸四ナトリウム、およびそれらの混合物が包含される。適当なリン酸塩の割合は４から８の緩衝ｐＨ、更に一般的にはｐＨ５から７が得られるように使用するのがよい。例えば、リン酸一ナトリウム：リン酸二ナトリウムの比４：１は約６の便利な緩衝ｐＨを与える。しかし、単一のリン酸塩、緩衝作用のないリン酸塩混合物、またはリンオキソ酸をリン酸陰イオン源として用いる場合には、もっと低いｐＨまたは高いｐＨ、例えばｐＨ２からｐＨ１２も生じうるが、これが組成物の有利な性質に悪影響を及ぼすことはない。
　二酸化チタン組成物の変色は存在する二酸化チタンの量に比例するので、従って二酸化チタン含量が高いと、それに相応して高濃度のリン酸陰イオンが要求される。一般に、使用されるリン酸陰イオンの量は、組成物中に添加された二酸化チタンの０．５から３００％、なるべくは３から２００％であろう。更に詳しく言えば、リン酸陰イオンがリン酸塩の形で供給される場合には、それは組成物中の二酸化チタンの５から１５０％、なるべくは３０から１２０重量％、例えば１００重量％を構成する。
　本発明に係る個々のサンスクリーン組成物中に存在する二酸化チタンの量は、その組成物が意図している用途により決まる。皮膚に到達する太陽光線を防止する意図のないいわゆるサンタン製品、デークリームおよびモイスチャライザーにおいては０．５から３％の量で十分かもしれない。このような組成物中のリン酸塩の量は、通常は組成物の０．１５から４％、もっと一般的には０．２５から３．５％、なるべくは０．２５から３％であろう。しかし、皮膚に到達する太陽光線の実質的にすべてを遮断しようと計画されたいわゆる太陽光線遮断組成物は、３０％といった高濃度の二酸化チタン、例えば１から２０％、なるべくは２．５から１０％の二酸化チタンを必要とするかもしれない。このような組成物中のリン酸塩の量は一般に１から３０％、更に通常は１から２０％、例えば組成物の１から１０％の範囲内となろう。
　二酸化チタンはなるべくは１から１００ｎｍ、更に好ましくは５から５０ｎｍ、最も好まくは１０から３５ｎｍの平均一次粒径をもつ。上記の平均一次粒径をもつ二酸化チタンは通常は「ミクロファイン」と呼ばれる。二酸化チタンはアナタース、ルチルまたは無定形の構造を有しうる。粒子は未被覆のこともあれば、またアルミニウム化合物、例えば酸化アルミニウム、ステアリン酸アルミニウム、またはラウリン酸アルミニウムの被覆を付けることもある。ミクロファイン二酸化チタンはＤｅｇｕｓｓａから商品名Ｐ２５で、またＴｅｉｋｏｋｗ　Ｋａｋｏ　Ｃｏ．Ｌｔｄ．から商品名ＭＴ１５０Ｗ、ＭＴ６００ＢまたはＭＴ５００Ｂで入手できる。ステアリン酸アルミニウムで被覆した二酸化チタンはＴｅｉｋｏｋｕ　Ｋａｋｏ　ＣＯ．Ｌｔｄ．から商品名ＭＴ１００Ｔで入手でき、また酸化アルミニウムで被覆した二酸化チタンはＭｉｙｏｓｈｉから商品名ＵＦＴＲで入手できる。一般に、被覆二酸化チタンは未被覆二酸化チタンより変色が遅いが、リン酸陰イオンを添加すると被覆、未被覆いずれの二酸化チタンを含有する組成物でもその貯蔵性が良くなる。
　本出願者等はリン酸陰イオンが二酸化チタンと結びついてリン酸塩被覆二酸化チタン粒子を形成することを見出した。二酸化チタン粒子に対するリン酸陰イオンの結合は、二酸化チタンとリン酸陰イオンの両者が存在するサンスクリーン組成物中で自然にその場で生ずることもあるし、二酸化チタン粒子をサンスクリーン組成物中に導入する前に、予備的被覆操作の間で起こることもある。従って、本発明は各粒子がリン酸陰イオンで実質的に被覆されている１００ｎｍ未満の平均一次粒径をもつ二酸化チタン粒子を更に提供するものである。本明細書中で用いた「リン酸陰イオンで実質的に被覆された二酸化チタン粒子」および「リン酸塩被覆二酸化チタン」という語句は、相当多数のリン酸陰イオンが結合した二酸化チタン粒子を述べたものであることが明らかであろう。リン酸塩被覆二酸化チタン粒子は油中水型乳濁系で使用するとき特に有利であることが分かった。
　なるべくリン酸陰イオンはリン酸塩、例えばリン酸二ナトリウムまたはポリリン酸ナトリウムにより供給するのがよい。本発明に係る粒子の製造に用いるリン酸塩対二酸化チタンの比は一般に、重量：重量基準で０．００１から６０：１なるべくは０．０１から１０：１である。更に詳しく言えば、本発明に係る粒子の製造に用いられるリン酸塩は二酸化チタン重量の３から２００％、なるべくは１５から１５０％、更に好ましくは３０から１２０％に相当する。
　本発明粒子は二酸化チタンをリン酸塩水溶液中に分散することによりつくりうる。水溶液を濾過により除き、二酸化チタン粒子を洗浄し、乾燥し、粉砕してリン酸塩で被覆された二酸化チタン粒子の微細、自由流動性粉末をつくる。
　パラヒドロキシベンゾエートエステル（パラペンス）、例えばメチル、プロピルおよびベンジルパラベンスは化粧品産業で常用される防腐剤であり、特に酵母およびかびの発育抑制のために使用される。異なるパラペンスエステルの混合物が防腐剤としてとりわけ有効であり、パラペンスエステルの幾つかの独占配合物を入手できる。都合の悪いことに、このようなパラペンス化合物が二酸化チタンと接触するとしばしば永久的な黄変が起こる。本出願者等は、本発明に係るサンスクリーン組成物ではこの黄変が減少することをここに見出した。従って、本発明のもう一つの面は０．０１から５重量％、なるべくは０．０５から２％のパラベンスエステルを更に含有する前記サンスクリーン組成物を提供することである。パラペンスエステルの混合物を用いる場合、各パラベンスエステルはサンスクリーン組成物の０．０５から１重量％を構成するのがよい。
　調製過程の間にパラペンスエステルを最初に混入する液相（油または水）および調製過程でパラペンスエステルを加える段階は得られる組成物の有利な性質に影響しないことが示された。
　他の日焼け止め剤を本発明組成物中に添加できる。添加できる適当な日焼け止め剤の例として次のものがあげられる：
（イ）　パラ−アミノ安息香酸、そのエステルおよび誘導体、例えば２−エチルヘキシルパラ−ジメチルアミノベンゾエートおよびパラ−アミノ安息香酸のオクチルエステル、
（ロ）　メトキシシンナメートエステル、例えば２−エチルヘキシルパラ−メトキシシンナメート、２−エトキシエチルパラ−メトキシシンナメートあるいはα，β−ジ−（パラ−メトキシシンナモイル）−α′−（２−エチルヘキサノイル）−グリセリン、
（ハ）　ベンゾフェノン類、例えばオキシベンゾン、
（ニ）　ジベンゾイルメタン類、および
（ホ）　サリチレートエステル。
　追加されるどの日焼け止め剤も組成物の０．１から１０重量％の量で存在しうる。
　本出願者等はまたパラ−アミノ安息香酸またはそのエステルまたは誘導体を含有するサンスクリーン組成物において、とりわけ水中油型組成物において、起こる緩徐な黄変も本発明に係るサンスクリーン組成物では減少することを認めた。従って、本発明の更にもう一つの面は、
（イ）　１００ｎｍ未満の平均一次粒径をもつ二酸化チタン０．５から３０重量％、
（ロ）　リン酸陰イオン０．０２５から３０重量％、および
（ハ）　パラ−アミノ安息香酸；そのエステルまたはその誘導体０．１から１０重量％
を含有してなるサンスクリーン組成物を提供することである。
　二酸化チタンを含むサンスクリーン組成物の変色を実質的に防止または減少させるためのリン酸陰イオンの使用は新規であり、本発明の更にもう一つの面を提供するものである。
　本発明に係る組成物あるいは粒子は、油相分散系あるいは乳濁系のようなサンスクリーン製品中に通常の仕方で添加することができる。従って、本発明の特に適当な具体例は、
（イ）　１００ｎｍ未満の平均一次粒径をもつ二酸化チタン０．５から３０重量％、
（ロ）　リン酸塩０．０２５から３０重量％、
（ハ）　油相５から４０重量％、
（ニ）　乳化剤１から２０重量％、および
（ホ）　水相なるべくは少なくとも４０重量％
を含有してなる水中油型乳濁系からなるサンスクリーン組成物を提供している。
　本発明のもう一つの具体例は、
（イ）　１００ｎｍ未満の平均一次粒径をもつ二酸化チタン０．５から３０重量％、
（ロ）　リン酸塩０．０２５から３０重量％、
（ハ）　油相５から５０重量％、および
（ニ）　乳化剤１から１５重量％、および
（ホ）　水相なるべくは少なくとも４０重量％
を含有してなる油中水型乳濁系からなるサンスクリーン組成物を提供する。
　本発明に係る油相分散系および油中水型および水中油型乳濁系の油相は例えば下記のものを含有しうる：
（イ）　炭化水素油、例えばパラフィンまたは鉱油、
（ロ）　ワックス類、例えばミツロウまたはパラフィンロウ、
（ハ）　天然油類、例えばひまわり油、杏仁油、シアバター、またはホホバ油、
（ニ）　シリコーン油、例えばジメチコーン、シクロメチコーンまたはセチルジメチコーン、
（ホ）　脂肪酸エステル類、例えばパルミチン酸イソプロピルまたはミリスチン酸イソプロピル、
（へ）　脂肪アルコール類、例えばセチルアルコールまたはステアリルアルコール、あるいは
（ト）　混合物、例えば商品名Ｃｕｔｉｎａ（Ｈｅｎｋｅｌ）で市販されているワックス配合物。
　本発明に係る特に適当な油中水型組成物における油相は組成物の５から４０％、更に好ましくは１０から３０重量％を構成する。本発明に係る特に適当な水中油型組成物における油相は組成物の５から３０重量％、更に好ましくは１０から２０重量％を占める。
　用いる乳化剤は、油中水型または水中油型乳濁系に使用することがこの分野で知られているどの乳化剤でもよい。特に効果的な油中水型および水中油型サンスクリーン組成物は、化粧品上容認しうる公知の乳化剤から選ばれる乳化剤または乳化剤混合物を使用することにより製造でき、これら乳化剤の例として下記のものがあげられる：
（イ）　セスキオレエート、例えばソルビタンセスキオレエート、例えば商品名Ａｒｌａｃｅｌ　８３（ＩＣＩ）で市販されているもの、あるいはポリグリセリル−２−セスキオレエート、
（ロ）　天然油の誘導体のエトキシル化エステル、例えば商品名Ａｒｌａｃｅｌ　９８９（ＩＣＩ）として市販されている水素化ヒマシ油のポリエトキシル化エステル、
（ハ）　シリコーン乳化剤、例えば商品名ＡＢＩＬ　ＷＳ　０８　（Ｔｈ．　Ｇｏｌｄｓｃｈｍｉｄｔ　ＡＧ）で市販されているシリコーンポリオール、
（ニ）　陰イオン乳化剤、例えば脂肪酸セッケン、例えばステアリン酸カリウムおよび脂肪酸サルフェート、例えば商品名Ｄｅｈｙｄａｇ（Ｈｅｎｋｅｌ）で市販されているセトステアリル硫酸ナトリウム、
（ホ）　エトキシル化脂肪アルコール、例えば商品名Ｂｒｉｊ（ＩＣＩ）で市販されている乳化剤、
（へ）　ソルビタンエステル、例えば商品名Ｓｐａｎ（ＩＣＩ）で市販されている乳化剤、
（ト）　エトキシル化ソルビタンエステル、例えば商品名Ｔｗｅｅｎ（ＩＣＩ）で市販されている乳化剤、
（チ）　エトキシル化脂肪酸エステル、例えばエトキシル化ステアレート、例えば商品名Ｍｙｒｊ（ＩＣＩ）で市販されている乳化剤、
（リ）　エトキシル化モノ−、ジ−、およびトリ−グリセリド、例えば商品名Ｌａｂｒａｆｉｌ（Ａｌｆａ　Ｃｈｅｍ．）で市販されている乳化剤、
（ヌ）　非イオン性自己乳化型ワックス、例えば商品名Ｐｏｌａｗａｘ（Ｃｒｏｄａ）で市販されているワックス、
（ル）エトキシル化脂肪酸、例えば商品名Ｔｅｆｏｓｅ（Ａｌｆａ　Ｃｈｅｍ．）で市販されている乳化剤、あるいは
（ヲ）これらの混合物。
　本発明に係る油中水型組成物中に存在する乳化剤の量は２から１０％の範囲がよい。本発明に係る水中油型組成物中に存在する乳化剤の量はなるべく１から１５％、更に好ましくは２から１５％の範囲がよい。特に適当な水中油型乳化剤の例として、エトキシル化脂肪酸およびアルコール、エトキシル化ステアレートおよびエトキシル化トリグリセリドおよびその混合物があげられる。
　本発明組成物は当業者にとって周知の他の成分を更に含有することがある。これらには例えば皮膚軟化剤、ミリスチン酸イソプロピルまたは脂肪酸トリグリセリド、例えばラウリン酸トリグリセリドまたはカプリン酸／カプリル酸トリグリセリド、例えばＭｉｇｌｉｏｌ　８１０（ＨｕｌｓＵＫ）の商品名で市販されているトリグリセリド；モイスチャライザー；例えばＤ−パンテノール；保湿剤、例えばグリセリンまたは１，３−ブチレングリコール；酸化防止剤、例えばＤＬ−α−トコフェリルアセテートまたはブチル化ヒドロキシトルエン；乳濁安定化塩、例えば塩化ナトリウム、クエン酸ナトリウムまたは硫酸マグネシウム；皮膚表面へののびを促進するための皮膜形成剤、例えば、アルキル化ポリビニルピロリドン、例えば商品名Ａｎｔａｒｏｎ（ＧＡＦ）で市販されているもの；シックナー、例えばアクリル酸重合体、例えば商品名Ｃａｒｂｏｐｏｌ（Ｂ．Ｆ．Ｇｏｏｄｒｉｃｈ）で市販されているもの、あるいは変性セルロース、例えば商品名Ｎａｔｒｏｓｏｌ（Ｈｅｒｃｕｌｅｓ）として市販されているヒドロキシエチルセルロース；防腐剤、例えばブロノポル、デヒドロ酢酸ナトリウム、ポリヘキサメチレンビグアニド塩酸塩、イソチアゾロンまたはジアゾリジニルユリア；金属イオン封鎖剤、例えばＥＤＴＡ塩；香料および着色料が包含される。
　光に露出した後の本発明に係る組成物の変色は例えば以下のようにして測定できる。
　各組成物４００ｍｌを調製し、側面の平らな２個の透明なＯ２不透過性のびん、例えばガラスびんかＰＥＴびんに詰めた。各実験の開始までこれらの充填したびんを暗所に貯蔵した。次に各組成物の一つのびんは暗所に保存したままで他のびんを西に面した窓からの自然昼光にさらした。１０日間にわたりびんを視覚により検査したところ、色の強さは二酸化チタンの濃度と共に増加し、リン酸塩の濃度と共に減少することが示された。しかし、例１から例２２の組成物の各々における変色の始まり（即ち、視覚による検査で変色が起こったことが最初に示された時間）は、リン酸塩を含まない相応の比較組成物と比べて遅れた。更にまた、リン酸塩濃度が増す程変色の始まりがますます遅れた。全部の試料が変色し終ったならば（９６時間）、各びんの表面上の最少限１０個所の異なる点における反射率を、Ｍｉｎｏｌｔａクロモメーターで測りそして平均Ｌ−値を記録することにより色の強さの読みをとった。結果を表Ａに示す。
　例１から例１１の組成物は例１２から例２２の組成物より早く変色したことが認められた。これは例１２から例２２ではステアリン酸アルミニウム被覆二酸化チタンを使用しており、これが変色に対して何らかの保護作用を与えたことによる。
　例２３から例２５および比較例１のパラペンス組成物を含む各びんの表面反射率をＭｉｎｏｌｔａ　クロモメーターを用いて測定した。１５分および１５時間の貯蔵後平均ｂ−値（黄色の変色）を記録した。下記の表Ｂに結果を示す。
　得られた結果は、本発明に係る組成物中のリン酸塩濃度を増すと、パラベンス−含有組成物の黄変の程度が次第に減少し、更に時間と共に黄色さが一層減退することをはっきり示している。
　変色を迅速に測定するため、本発明に係る組成物を側面が平らな４００ｍｌの透明なＯ２不透過性のびんに詰めた。これらの充填したびんを、暗くした部屋でＵｖａ　Ｈａｎｄ２５０Ｂｌａｃｋ　Ｌｉｇｈｔ　（Ｄｒ　Ｈｏｎｌｅ　Ｇｍｂ　Ｈ）を使用し、びんの表面上約２０ｃｍの高さからＵＶ−Ａ照射に１時間さらした。ＭｉｎｏｌｔａクロモメーターＬ−値を記録し、リン酸塩を含まない組成物の二つの対照試料と比較した。これら対照試料のうち一つは同様にＵＶ−Ａ−照射にさらし、一つは暗い戸棚に保存した。試料の読みと二つの対照から得た読みとの差から変色パーセントの値を計算した。各びんの表面の異なる点で最少限１０個所のクロモメーターの読みをとった。平均の結果を表Ｃに示す。
　本発明を下記の例１から例４３により説明する。これらはただ例としてのみ示したものである。例１から例３４および例３９から例４３は水中油型乳濁系として処方し、例３５、例３８および例４０は油中水型乳濁系である。比較例ＡからＬは本発明の一部をなさない。
例　１
　　　　　　　　　　　　　　　　　　　　　　　　　　　　　　　　　　　　　　　
％Ｗ／Ｗ
１）　アクリル酸重合体（商品名Ｃａｒｂｏｐｏｌ　９３４で販売されている）　　　　０．１
２）　ヒドロキシエチルセルロース（商品名Ｎａｔｒｏｓｏｌ　２５０　ＨＨＲと
　　　して販売されている）　　　　　　　　　　　　　　　　　　　　　　　　　　　０．１
３）　ＥＤＴＡナトリウム塩（商品名Ｓｅｑｕｅｓｔｒｅｎｅ　Ｎａ４として
　　　販売されている）　　　　　　　　　　　　　　　　　　　　　　　　　　　　　０．１
４）　グリセリン　　　　　　　　　　　　　　　　　　　　　　　　　　　　　　　　２．０
５）　１，３−ブチレングリコール　　　　　　　　　　　　　　　　　　　　　　　１２．０
６）　非イオン性自己乳化性ワックス（商品名Ｐｏｌａｗａｘ
　　　として販売されている）　　　　　　　　　　　　　　　　　　　　　　　　　　１．８
７）　グリセリルモノステアレート（商品名Ｍｏｎｏｓｔｅａｒｉｎｌｅ　Ｂｉｂｂｙと
　　　して販売されている）　　　　　　　　　　　　　　　　　　　　　　　　　　　１．８
８）　Ｔｒｉｌａｕｒｉｎ（商品名Ｓｏｆｔｉｓａｎ　１００として販売されている）　１．０
９）　カプリン酸／カプリル酸トリグリセリド（商品名Ｍｉｇｌｉｏｌ　８１０
　　　として販売されている）　　　　　　　　　　　　　　　　　　　　　　　　　　１．５
１０）白色軟質パラフィン（商品名ＭＯ　８０　ＡＢ　＆　Ｌとして販売されて
　　　いる）　　　　　　　　　　　　　　　　　　　　　　　　　　　　　　　　　　４．０
１１）シリコーン液（商品名Ｆ１１１／１００として販売されている）　　　　　　　　０．４
１２）ポリビニルピロリドン共重合体（商品名　Ａｎｔａｒｏｎ　Ｖ　２１６
　　　として販売されている）　　　　　　　　　　　　　　　　　　　　　　　　　　０．５
１３）軽流動パラフィン（商品名　ＷＯＭ　１４　として販売されている）　　　　　　３．０
１４）水酸化カリウム　　　　　　　　　　　　　　　　　　　　　　　　　　　　　　０．０２７
１５）二酸化チタン（商品名　ＭＴ　１５０Ｗとして販売されている）　　　　　　　　５．０
１６）リン酸塩〔リン酸−ナトリウム：リン酸二ナトリウム（４：１）〕　　　　　　　０．２５
１７）水　　　　　　　　　　　　　　　　　　　　　　　　　　　　　　　　　　１００に調節
　成分１から５を水に分散し、７０℃に加熱した。成分６から１３を一緒に混合し、７０℃に加熱した。成分１５（二酸化チタン）を油相（成分６から１３）中に分散し、成分１から５と混合し、高せん断ミキサー／ホモジナイザー（Ｓｉｌｖｅｒｓｏｎ）を使用し７０℃で均質化した。成分１４（最少量の水に溶解）および成分１６（最少量の水に溶解）を加え、混合物を冷却してローションを得た。別法として、望むならば成分１５（二酸化チタン）を水相に加えるか、あるいはすべての他の成分を配合し終った後で加えてもよい。
例２〜例１１および比較例Ａ〜Ｄ
　二酸化チタンとリン酸塩を種々な割合で例１記載のように混合しローションを得た。性質を表１に示す（比較のため例１を含めてある）。
例１２
　　　　　　　　　　　　　　　　　　　　　　　　　　　　　　　　　　　　　　　
％Ｗ／Ｗ
１）　エトキシル化脂肪酸（商品名Ｔｅｆｏｓｅ　１５００として販売されている）　１０．０
２）　パルミチン酸イソプロピル　　　　　　　　　　　　　　　　　　　　　　　　　７．５
３）　軽流動パラフィン（商品名ＷＯＭ　１４として販売されている）　　　　　　　　２．０
４）　エトキシル化トリグリセリド（商品名Ｌａｂｒａｆｉｌ　Ｍ　２１３０　ＣＳ
　　　として販売されている）　　　　　　　　　　　　　　　　　　　　　　　　　　３．０
５）　ステアリン酸　　　　　　　　　　　　　　　　　　　　　　　　　　　　　　　１．０
６）　二酸化チタン（ステアレート被覆されたもの、商品名　ＭＴ　１００Ｔ
　　　として販売されている）　　　　　　　　　　　　　　　　　　　　　　　　　　５．０
７）　グリセリン　　　　　　　　　　　　　　　　　　　　　　　　　　　　　　　１０．０
８）　リン酸塩〔リン酸一ナトリウム：リン酸二ナトリウム
　　　（４：１）〕　　　　　　　　　　　　　　　　　　　　　　　　　　　　　　０．２５
９）　水　　　　　　　　　　　　　　　　　　　　　　　　　　　　　　　　　　　１００に調節
　成分１から５を一緒に７０℃で融かし、この混合物中に高せん断ミキサー／ホモジナイザー（Ｓｉｌｖｅｒｓｏｎ）を用いて二酸化チタンを分散した。成分７から９を７０℃に加熱し、Ｓｉｌｖｅｒｓｏｎを用いて二酸化チタン混合物を加えた。得られた混合物を高せん断ミキサー／ホモジナイザーを用いて均質化しローションを得た。
例１３〜例２２および比較例Ｅ〜Ｈ
　例１２に記載のようにして二酸化チタンおよびリン酸塩を種々な割合で処方しローションを得た。これらの割合は表２に示した通りである（比較のため例１２を含めてある）。
例２３〜例２５および比較例Ｉ
　パラベンス〔メチルパラベンス：プロピルパラベンス（２：１）〕０．４５％を、例１から例３および比較例Ａの組成物の各々の成分１から５に溶かし、次にこれら例に記載のように混合してローションを得た。パラペンスとリン酸塩の割合は表３に示した通りである。
例２６〜例３２および比較例Ｊ
　例１２の二酸化チタン（ＭＴ１００Ｔ）（成分６）を５％二酸化チタン（商品名ＭＴ　１５０Ｗ　として販売されている）により置き換え、また例１２のリン酸塩（成分８）を種々な濃度と型のリン酸塩と置き換えることにより例２６から例３２のローション組成物を得た。使用したリン酸塩は表４に示した通りである。
例３３
　　　　　　　　　　　　　　　　　　　　　　　　　　　　　　　　　　　　　　
％ｗ／ｗ
１）　グリセリン　　　　　　　　　　　　　　　　　　　　　　　　　　　　　　　２．０
２）　キサンタンガム（商品名Ｋｅｌｔｒｏｌ　として
　　　販売されている）　　　　　　　　　　　　　　　　　　　　　　　　　　　　０．３
３）　ヒドロキシメチルセルロース（商品名Ｎａｔｒｏｓｏｌ　２５０　ＨＨＲ
　　　として販売されている）　　　　　　　　　　　　　　　　　　　　　　　　　０．１
４）　二酸化チタン（商品名ＭＴ　１５０Ｗ　として販売されている）　　　　　　　３．０
５）　Ｄ−パンテノール　　　　　　　　　　　　　　　　　　　　　　　　　　　　０．６７
６）　１，３−ブチレングリコール　　　　　　　　　　　　　　　　　　　　　　１２．０
　　　　７）　ステアリルポリオキシエチレンアルコール（商品名
　　　Ｂｒｉｊ　７２１として販売されている）　　　　　　　　　　　　　　　　２．０
８）　ビタミンＡ　パルミテート　　　　　　　　　　　　　　　　　　　　　　　０．０２
９）　アラキジルプロピオネート（商品名　Ｗａｘｅｎｏｌ　８０１
　　　として販売されている）　　　　　　　　　　　　　　　　　　　　　　　　１．０
１０）　マツヨイグサ油　　　　　　　　　　　　　　　　　　　　　　　　　　　１．０
１１）　ステアリルポリオキシエチレンアルコール（商品名
　　　Ｂｒｉｊ７２として販売されている）　　　　　　　　　　　　　　　　　　１．０
１２）　グリセリルモノステアレート（商品名
　　　Ｍｏｎｏｓｔｅａｒｉｎ　ＮＳＥ　Ｅｄｉｂｌｅ　Ｂｉｂｂｙとして販売されている）１．２
１３）　カプリン酸／カプリル酸トリグリセリド（商品名
　　　Ｍｉｇｌｉｏｌ　　８１０として販売されている）　　　　　　　　　　　　１．１
１４）　トリラウリン（商品名Ｓｏｆｔｉｓａｎ　１００として販売
　　　されている）　　　　　　　　　　　　　　　　　　　　　　　　　　　　　０．６
１５）　白色軟質パラフィン　　　　　　　　　　　　　　　　　　　　　　　　　２．５
１６）　軽流動パラフィン（商品名ＷＯＭ　１４として販売
　　　されている）　　　　　　　　　　　　　　　　　　　　　　　　　　　　　１．５
１７）シリコーン液（商品名Ｆ　１１１／１００　として販売
　　　されている）　　　　　　　　　　　　　　　　　　　　　　　　　　　　　１．０
１８）　ポリビニルピロリドン共重合体（商品名
　　　Ａｎｔａｒｏｎ　Ｖ２１６として販売されている）　　　　　　　　　　　　０．５
１９）　ポリリン酸ナトリウム　　　　　　　　　　　　　　　　　　　　　　　　３．０
２０）　水　　　　　　　　　　　　　　　　　　　　　　　　　　　　　　　１００に調節
　７０〜７５℃に加熱した水へ成分２、３および１９を加え、高せん断ミキサー／ホモジナイザー（Ｓｉｌｖｅｒｓｏｎ）を用いて混合物を２０分間分散させた。成分１と６を一緒に混合し、７０℃に加熱し、水分散液へ加えた。その中に二酸化チタン（成分４）をＳｉｌｖｅｒｓｏｎを用いて分散させた。成分５および成分７から１８を一緒に７０〜７５℃に加熱し、この混合物を水分散液へ加え、混合を５分間続けることにより例３３のローションを得た。
例３４および比較例Ｋ
　表５に示したように別のリン酸塩を用いるか、または全くリン酸塩を用いずに例３３の組成物をつくることにより例３４および比較例Ｋのローションを得た。
例３５および比較例Ｌ
　　　　　　　　　　　　　　　　　　　　　　　　　　　　　　　　　　　　　　　　
％ｗ／ｗ
１）　シリコーンコポリオールとシクロメチコーンの混合物
　　　（商品名Ｓｉｌｉｃｏｎｅ　Ｆｌｕｉｄ　３２２５　Ｃとして販売されている）　１２．０
２）　シクロメチコーン（商品名Ｓｉｌｉｃｏｎｅ　Ｆｌｕｉｄ　４５　ＤＣ　して
　　　販売されている）　　　　　　　　　　　　　　　　　　　　　　　　　　　　　１５．０
３）　セチルジメチコーン（商品名Ａｂｉｌ　Ｂ　９８０１として販売されている）　　　５．０
４）　ソルビタンセスキオレエート（商品名　Ａｒｌａｃｅｌ　８３
　　　として販売されている）　　　　　　　　　　　　　　　　　　　　　　　　　　　３．０
５）　グリセリンソルビタン脂肪酸エステル（商品名　Ａｒｌａｃｅｌ　４８１として市販
　　　されている）　　　　　　　　　　　　　　　　　　　　　　　　　　　　　　　　０．７
６）　ブチル化ヒドロキシトルエン　　　　　　　　　　　　　　　　　　　　　　　　　０．０５
７）　二酸化チタン（商品名ＭＴ　１５０Ｗ　として販売されている）　　　　　　　　　５．０
８）　クエン酸ナトリウム　　　　　　　　　　　　　　　　　　　　　　　　　　　　　４．０
９）　ブロノポール　　　　　　　　　　　　　　　　　　　　　　　　　　　　　　　　０．０２
１０）　デヒドロ酢酸ナトリウム　　　　　　　　　　　　　　　　　　　　　　　　　　０．１５
１１）　リン酸塩〔リン酸一ナトリウム：
リン酸塩ニナトリウム（４：１）〕　　　　　　　　　　　　　　　　　　　　　　　　　２．０
１２）水　　　　　　　　　　　　　　　　　　　　　　　　　　　　　　　　　　　１００に調節
　成分５および６を融かし、成分１から４へ、成分７と共に高せん断ミキサー／ホモジナイザー（Ｓｉｌｖｅｒｓｏｎ）を用いて混入した。成分８から１１を水に加え、この水相を油相へかきまぜながらゆっくり加えた。得られた混合物をＳｉｌｖｅｒｓｏｎを用いて均質化し例３５のクリームを得た。比較例Ｌの組成物ではリン酸塩（成分１１）を省略した。
例３６
　リン酸二ナトリウム塩（１００ｇ）を水（２００ｍｌ）に溶かし、その中に二酸化チタン（商品名ＭＴ１５０Ｗとして販売されている）１００ｇを分散させた。この分散液を１時間放置してから二酸化チタンを濾別し、水（２５０ｍｌ）で洗浄した。濾過したＴｉＯ２を乾燥し、乳鉢と乳棒を使用して粉砕し微細粉末とした。この粉末を水（２００ｍｌ）中に分散させ、次に濾過し、乾燥し、粉砕してリン酸塩で被覆された二酸化チタン粒子の細かい自由流動性粉末を得た。
例３７
　例３６によりつくられたリン酸塩被覆二酸化チタン粒子を、例１２の組成物のＴｉＯ２およびリン酸塩（成分６と８）の代りに用いて例３７のローションを得た。
例３８
　例３６に従ってつくられたリン酸塩被覆二酸化チタン粒を、例３５の組成物のＴｉＯ２およびリン酸塩（成分７と１１）の代りに使用して例３８のクリームを得た。
例３９
　ポリリン酸ナトリウム（３０ｇ）を水（１００ｍｌ）に溶かし、その中に二酸化チタン（商品名ＭＴ１５０Ｗで販売されている）３０ｇを分散させた。この分散液を１時間放置し、次に二酸化チタンを濾別し、水（１００ｍｌ）で洗浄した。濾過したＴｉＯ２を乾燥し、乳鉢および乳棒を用いて粉砕し細かい粉末とした。この粉末を水（１００ｍｌ）中に分散させ、次に濾別し、乾燥し、粉砕してポリリン酸塩被覆二酸化チタン粒子の微細な自由流動性粉末を得た。
例４０
　例３９に従ってつくられたポリリン酸塩被覆二酸化チタン粒子を、例３５の組成物のＴｉＯ２およびリン酸塩（成分７と１１）の代りに使用して例４０のクリームを得た。
ＵＶ照射前の平均Ｌ値＝８３．９
ＵＶ照射後の平均Ｌ値＝８５．０
例４１
　　　　　　　　　　　　　　　　　　　　　　　　　　　　　　　　　　　　　　　
％ｗ／ｗ
１）　エトキシル化脂肪酸（商品名Ｔｅｆｏｓｅ　１５００として販売されている）　１０．０
２）　ひまわり油　　　　　　　　　　　　　　　　　　　　　　　　　　　　　　　　７．５
３）　流動パラフィン　　　　　　　　　　　　　　　　　　　　　　　　　　　　　　２．０
４）　エトキシル化トリグリセリド（商品名Ｌａｂｒａｆｉｌ　Ｍ　２１３０　ＣＳとして
　　　販売されている）　　　　　　　　　　　　　　　　　　　　　　　　　　　　　３．０
５）　ステアリン酸　　　　　　　　　　　　　　　　　　　　　　　　　　　　　　　１．０
６）　二酸化チタン（商品名ＭＴ　１５０Ｗ　として販売されている）　　　　　　　　５．０
７）　グリセリン　　　　　　　　　　　　　　　　　　　　　　　　　　　　　　　　３．０
８）　ブロノポール　　　　　　　　　　　　　　　　　　　　　　　　　　　　　　　０．０２
９）　メチルパラペンス　　　　　　　　　　　　　　　　　　　　　　　　　　　　　０．２
１０）　プロピルパラベンス　　　　　　　　　　　　　　　　　　　　　　　　　　　０．１
１１）　リン酸塩〔リン酸一ナトリウム：リン酸二ナトリウム
　　　（４：１）〕　　　　　　　　　　　　　　　　　　　　　　　　　　　　　　　２．５
１２）　水　　　　　　　　　　　　　　　　　　　　　　　　　　　　　　１００に調節
　成分１から５を７０℃で一緒に融かし、高せん断ミキサー／ホモジナイザー（Ｓｉｌｖｅｒｓｏｎ）を用いてこの混合物中に二酸化チタン（成分６）を分散させた。成分７と１２を７０℃に加熱し、成分９と１０をかきまぜながら加えた。次にこれら二つの混合物を合わせた。次に成分１１（最少量の水に溶かす）を加え、混合物を冷却した。成分８（最少量の水に溶かす）を加え、高せん断ミキサー／ホモジナイザーを用いて混合物を均質化することによりローションを得た。別法として、望むならば、成分６（二酸化チタン）を水相に加えるか、あるいはすべての他の成分を混合し終った後に加えてもよい。
例４２
　例１で述べた組成物のリン酸塩（成分１６）の代りにリン酸一ナトリウム（１．５％）とリン酸ニナトリウム（０．５％）を用いた。０．４％パラペンス配合物（商品名Ｎｉｐａｓｔａｔとして販売されている）を成分１から５と混合し、次に例１記載のようにして組成物を調製しローションを得た。
例４３
　　　　　　　　　　　　　　　　　　　　　　　　　　　　　　　　　　　　　　　
％ｗ／ｗ
１）　ヒドロキシエチルセルロース（商品名　Ｎａｔｒｏｓｏｌ　２５０　ＨＨＲ
　　　として販売されている）　　　　　　　　　　　　　　　　　　　　　　　　　　０．３
２）　乳化剤（商品名Ｄｅｈｙｄａｇ　Ｅ　として販売されている）　　　　　　　　　１．０
３）　ＥＤＴＡナトリウム塩（商品名Ｓｅｑｕｅｓｔｒｅｎｅ　Ｎａ４として販売
　　　されている）　　　　　　　　　　　　　　　　　　　　　　　　　　　　　　　０．１
４）　クエン酸一水和物　　　　　　　　　　　　　　　　　　　　　　　　　　　　　０．０５
５）　ミリスチン酸イソプロピル　　　　　　　　　　　　　　　　　　　　　　　　　１．５
６）　ワックス配合物（商品名Ｃｕｔｉｎａ　ＣＢＳとして販売されている）　　　　　２．０
７）　セトステアリルアルコール　　　　　　　　　　　　　　　　　　　　　　　　　１．０
８）　パラ−アミノ安息香酸オクチルエステル　　　　　　　　　　　　　　　　　　　５．０
９）　ブチル化ヒドロキシトルエン　　　　　　　　　　　　　　　　　　　　　　　　０．０２
１０）　二酸化チタン（商品名ＭＴ　１５０Ｗ　として販売されている）　　　　　　　３．０
１１）　リン酸塩〔リン酸一ナトリウム：リン酸二ナトリウム
　　　（４：１）〕　　　　　　　　　　　　　　　　　　　　　　　　　　　　　　　１．５
１２）　水　　　　　　　　　　　　　　　　　　　　　　　　　　　　　　１００に調節
　成分１から４を７０℃の水に溶かした。成分５から９を７０℃で一緒に融かし、高せん断ミキサー／ホモジナイザー（Ｓｉｌｖｅｒｓｏｎ）を用いてこの混合物中に二酸化チタン（成分１０）を分散させた。次にこれら二つの混合物を合わせ、成分１１（最少量の水に溶かす）を加え、混合物を均質化してローションを得た。別法として、望むならば、成分１０（二酸化チタン）を水相に加えるか、あるいはすべての他の成分を混合し終った後で加えてもよい。